(57)【特許請求の範囲】
【請求項１】
ランプ管（１）と、該ランプ管（１）内に配置されたＬＥＤライトエンジン（２）と、前記ランプ管（１）の２つの開放した端部に配置された端部キャップ（３）とを備え、前記ＬＥＤライトエンジン（２）は、回路基板（２１）と、該回路基板（２１）に配置された少なくとも１つの光源とを有する、ＬＥＤレトロフィットランプ（１００）において、前記ＬＥＤレトロフィットランプ（１００）は、さらに、前記回路基板（２１）の２つの反対側の端部にそれぞれ固定された一対の保持構造（４）と、該保持構造（４）に結合された少なくとも一対の弾性テンション構造（５）とを備え、該弾性テンション構造（５）は、前記端部キャップ（３）の一方の側からそれぞれの端部キャップ（３）を貫通しており、前記端部キャップ（３）の他方の側においてロックされており、
前記保持構造（４）は、中間部分（４１）と、該中間部分（４１）から延びる第１の部分および第２の部分とを有し、前記第１の部分は前記回路基板（２１）と結合されており、前記第２の部分は前記弾性テンション構造（５）と結合されていることを特徴とする、ＬＥＤレトロフィットランプ（１００）。
【請求項２】
前記第１の部分および前記第２の部分は、前記中間部分（４１）からそれぞれ延びた一対の第１の脚部（４２）および少なくとも一対の第２の脚部（４３）として構成されており、前記第１の脚部（４２）の接続線と、前記第２の脚部（４３）の接続線とは互いに交差し、前記弾性テンション構造（５）のうちの１つが一対の前記第２の脚部（４３）に結合されている、請求項１記載のＬＥＤレトロフィットランプ（１００）。
【請求項３】
前記第１の脚部（４２）は、間に所定の角度を形成する第１の脚部フロントアーム（４２１）と、第１の脚部リヤアーム（４２２）とを有しており、前記第１の脚部フロントアーム（４２１）は、前記中間部分（４１）に結合された一方の端部と、前記第１の脚部リヤアーム（４２２）に結合された他方の端部とを有する、請求項２記載のＬＥＤレトロフィットランプ（１００）。
【請求項４】
前記第１の脚部リヤアーム（４２２）の端部にロッキング構造が形成されており、前記回路基板（２１）に第１の貫通孔（２１１）が形成されており、前記ロッキング構造は前記第１の貫通孔（２１１）と係合させられる、請求項２または３記載のＬＥＤレトロフィットランプ（１００）。
【請求項５】
前記第２の脚部（４３）は、間に所定の角度を形成する第２の脚部フロントアーム（４３１）と、第２の脚部リヤアーム（４３２）とを有しており、前記第２の脚部フロントアーム（４３１）は、前記中間部分（４１）に結合された一方の端部と、前記第２の脚部リヤアーム（４３２）に結合された他方の端部とを有する、請求項２または３記載のＬＥＤレトロフィットランプ（１００）。
【請求項６】
前記第２の脚部（４３）は、前記弾性テンション構造（５）が前記第２の脚部（４３）から逃れることを防止するＵ字形断面輪郭を有する、請求項５記載のＬＥＤレトロフィットランプ（１００）。
【請求項７】
前記保持構造（４）は、金属プレートを曲げることによって形成されており、該金属プレートには、予め決められた曲げ位置（４４）が形成されている、請求項１から３までのいずれか１項記載のＬＥＤレトロフィットランプ（１００）。
【請求項８】
前記ロッキング構造は、２つの自由端部を備えるリテーナリング（４５）として構成されており、前記２つの自由端部は、前記リテーナリング（４５）を開放させるように互いに離れるように移動させることができるか、または前記リテーナリング（４５）を閉鎖するように重ね合わせることができる、請求項７記載のＬＥＤレトロフィットランプ（１００）。
【請求項９】
前記保持構造（４）は、プラスチックから形成されている、請求項１から３までのいずれか１項記載のＬＥＤレトロフィットランプ（１００）。
【請求項１０】
前記ロッキング構造はフックとして構成されている、請求項９記載のＬＥＤレトロフィットランプ（１００）。
【請求項１１】
前記弾性テンション構造（５）は、弾性ロッド（５１）と、該弾性ロッド（５１）に形成され、所定の間隔で互いに離間させられた２つの停止部分（５２）とを有しており、該２つの停止部分（５２）の間の前記弾性ロッド（５１）のセクションは、少なくとも部分的に前記第２の部分に配置されており、前記２つの停止部分（５２）は、同じ端部キャップ（３）の他方の側にロックされている、請求項１から３までのいずれか１項記載のＬＥＤレトロフィットランプ（１００）。
【請求項１２】
前記停止部分（５２）は、円錐形を有するように構成されており、２つの円錐形の前記停止部分（５２）の底面（５２１）は互いに面している、請求項１１記載のＬＥＤレトロフィットランプ（１００）。
【請求項１３】
少なくとも一対の第２の貫通孔（３１）が、前記弾性テンション構造（５）が貫通するために前記端部キャップ（３）に形成されている、請求項１１記載のＬＥＤレトロフィットランプ（１００）。
【請求項１４】
前記弾性ロッド（５１）および前記停止部分（５２）は、ゴムまたはシリコーンから形成されており、一片で形成されている、請求項１１記載のＬＥＤレトロフィットランプ（１００）。
【請求項１５】
前記光源は、ＬＥＤ光源（２２）として構成されている、請求項１から３までのいずれか１項記載のＬＥＤレトロフィットランプ（１００）。
【請求項１６】
請求項１から１５までのいずれか１項記載のＬＥＤレトロフィットランプ（１００）を製造する方法において、
ａ）２つの保持構造（４）を提供するステップと、
ｂ）回路基板（２１）の２つの反対側の端部に前記２つの保持構造（４）をそれぞれ固定するステップと、
ｃ）少なくとも一対の弾性テンション構造（５）を提供し、該弾性テンション構造（５）を前記保持構造（４）に結合するステップと、
ｄ）前記弾性テンション構造（５）が前記端部キャップ（３）の一方の側から１つの端部キャップ（３）を貫通し、同じ端部キャップ（３）の他方の側においてロックされることを可能にするステップと、を含むことを特徴とする、ＬＥＤレトロフィットランプ（１００）を製造する方法。
【請求項１７】
前記ステップａ）において、打抜き法または鋳込み法によって金属プレートを形成し、該金属プレートに予め決定された曲げ位置（４４）を形成し、該予め決定された曲げ位置（４４）において前記金属プレートを曲げることにより保持構造（４）を形成し、該保持構造（４）は、中間部分（４１）と、該中間部分（４１）から延びた一対の第１の脚部（４２）および少なくとも一対の第２の脚部（４３）とを有しており、前記第１の脚部（４２）および前記第２の脚部（４３）は互いに垂直になるように配置されている、請求項１６記載の方法。
【請求項１８】
前記ステップａ）において、前記第１の脚部（４２）を、該第１の脚部（４２）の第１の脚部フロントアーム（４２１）と第１の脚部リヤアーム（４２２）とがこれらの間に所定の角度を形成するように曲げることによって形成し、前記第１の脚部リヤアーム（４２２）の端部にリテーナリング（４５）を形成する、請求項１７記載の方法。
【請求項１９】
前記ステップａ）において、前記第２の脚部（４３）を、該第２の脚部（４３）がＵ字形断面輪郭を有するように曲げることによって形成し、前記第２の脚部（４３）の第２の脚部フロントアーム（４３１）と、第２の脚部リヤアーム（４３２）とは、これらの間に所定の角度を形成している、請求項１７記載の方法。
【請求項２０】
前記ステップａ）において、前記保持構造（４）を射出成形法によってプラスチックから形成する、請求項１６記載の方法。
【請求項２１】
前記ステップａ）において、前記第１の脚部（４２）の前記第１の脚部リヤアーム（４２２）の端部にフックが形成されるように前記第１の脚部（４２）を形成する、請求項２０記載の方法。
【請求項２２】
前記ステップｃ）において、前記弾性テンション構造（５）を射出成形法によってゴムまたはシリコーンから一体に形成する、請求項１６から２１までのいずれか１項記載の方法。
【請求項２３】
前記ステップｃ）において、前記弾性テンション構造（５）を、該弾性テンション構造（５）が、弾性ロッド（５１）と、該弾性ロッド（５１）に形成されかつ所定の間隔で互いに離間させられた２つの停止部分（５２）とを有するように形成する、請求項２２記載の方法。
【請求項２４】
前記ステップｃ）において、前記弾性ロッド（５１）の２つの自由端部を、前記端部キャップ（３）の２つの第２の貫通孔（３１）にそれぞれ貫通させ、これにより、前記停止部分（５２）を、前記第２の貫通孔（３１）に貫通させ、前記端部キャップ（３）の他方の側にロックする、請求項２３記載の方法。
【請求項２５】
前記端部キャップ（３）の前記他方の側における前記弾性ロッド（５１）の一部を切断するステップｅ）をさらに含む、請求項２４記載の方法。
【発明の詳細な説明】
【技術分野】
【０００１】
本発明は、ＬＥＤレトロフィットランプに関する。加えて、本発明は、ＬＥＤレトロフィットランプを製造する方法にも関する。
【０００２】
背景技術
全員に知られているように、ＬＥＤ照明はかけがえのない利点を有する。ＬＥＤ照明は、エネルギを節約し、電力消費が極めて少なく、ほぼ１００％の電気光学出力変換を有し、従来の光源と比較して同じ照明効率で８０％を超えるエネルギを節約することができ、長寿命である。前記利点を考慮して、市場では光源としてのＬＥＤ、例えば多くのＬＥＤレトロフィットランプがますます頻繁に使用されている。このようなＬＥＤレトロフィットランプは、光源として既存の照明システムに適応させることができるように、白熱ランプまたはランプ管などの従来の光源の輪郭を有する。
【０００３】
しかしながら、従来のＴ８／Ｔ５ランプと交換する場合、ＬＥＤチップが設けられている回路基板、およびドライバの固定は、大きな問題となる。なぜならば、従来のＴ８ランプは、ガラスランプ管を有しており、ガラスランプ管内に、ＬＥＤライトエンジンおよびドライバを固定するための固定構造を形成することが極めて困難であるからである。もちろん、ガラスランプ管と交換するためにプラスチックランプ管を使用することができるが、プラスチックランプ管を形成するための材料は、絶対的に、光学レベルの材料である。このような材料のコストは、通常のプラスチックのコストの約２倍である。したがって、従来技術では、ガラスランプ管が通常使用されている。
【０００４】
従来技術では、ＬＥＤライトエンジンおよびドライバをガラスランプ管に固定することが困難であるという問題を解決するために、様々な解決手段が提案されている。例えば、既存の解決手段では、挿入タイプのアルミニウム押出し構造が使用され、この構造は、回路基板の２つの端部に固定されており、２つの端部に押出し構造が固定された回路基板はランプ管に挿入され、次いで、ランプ管の２つの開放した端部は端部キャップで閉鎖され、押出し構造は端部キャップに固定され、さらに、ドライバがランプ管内で一方の端部に固定される。この解決手段の主な欠点は、端部キャップの構造が複雑すぎるということである。
【０００５】
従来技術における別の解決手段では、アルミニウムから形成された挿入タイプ押出しベースが提供され、ベースは回路基板の底部に接着され、次いで、回路基板とベースとはランプ管に挿入され、最後に、ベースとランプ管とは接着される。この解決手段の主な欠点は、ベースとランプ管との間の固定が確実ではなく、揺れが生じ得るということである。
【０００６】
発明の概要
前記技術的問題を解決するために、本発明はＬＥＤレトロフィットランプを提供する。本発明によるＬＥＤレトロフィットランプは、複雑な結合構造を使用する必要なく、ガラスランプ管内に確実に配置することができる。さらに、ＬＥＤレトロフィットランプを組み立てることがより簡単である。加えて、本発明は、ＬＥＤレトロフィットランプを製造する方法をも提供する。
【０００７】
本発明の第１の課題は、ランプ管と、ランプ管内に配置されたＬＥＤライトエンジンと、ランプ管の２つの開放した端部に配置された端部キャップとを備え、ＬＥＤライトエンジンは、回路基板と、回路基板に配置された少なくとも１つの光源とを有する、ＬＥＤレトロフィットランプによって達成される。加えて、本発明によるＬＥＤレトロフィットランプは、さらに、回路基板の２つの反対側の端部にそれぞれ固定された一対の保持構造と、保持構造に結合された少なくとも一対の弾性テンション構造とを備え、弾性テンション構造は、端部キャップの一方の側から端部キャップを貫通しており、端部キャップの他方の側においてロックされている。本発明によるＬＥＤレトロフィットランプは、複雑な機械的構造の必要なく、ＬＥＤライトエンジンをランプ管内に懸吊することができる。これは、ランプ管がガラスランプ管である場合に特に重要である。なぜならば、ＬＥＤライトエンジンを形成するためにガラスランプ管内に複雑な構造を形成することは極めて困難であるからである。加えて、本発明のＬＥＤレトロフィットランプにおける弾性テンション構造の使用により、ＬＥＤライトエンジンの回路基板の２つの端部に所定の引張力が加えられ、すなわち、回路基板はランプ管において緊張させられる。これは、ＬＥＤレトロフィットランプが長期間にわたり使用される場合に特別の意義を有する。なぜならば、ＬＥＤレトロフィットランプは通常は長期間にわたり比較的高温で作動し、そのデバイスが高温により変形することがあるからであり、弾性テンション構造は、デバイスが変形したとしてもライトエンジン、特に回路基板をランプ管に確実に保持することができる。
【０００８】
本発明によれば、保持構造は、中間部分と、中間部分から延びる第１の部分および第２の部分とを有し、第１の部分は回路基板と結合されており、第２の部分は弾性テンション構造と結合されている。単純な機械的構造により、保持構造と回路基板との結合、および保持構造と弾性テンション構造との結合が達成され、このような結合は、一切の他の付加的な手段、例えば、ボルトまたは接着剤を使用することを必要とせず、これは、コストおよび組立の困難さを大幅に低減する。
【０００９】
好適には、第１の部分および第２の部分は、中間部分からそれぞれ延びた一対の第１の脚部と、少なくとも一対の第２の脚部として構成されており、第１の脚部の接続線と、第２の脚部の接続線とは互いに交差し、１つの弾性テンション構造が一対の第２の脚部に結合されている。本発明の設計解決手段では、第１の脚部が回路基板に結合される必要があり、第２の脚部が弾性テンション構造に結合される必要があるので、第１の脚部の接続線と、第２の接続線とを交差するように配置することは、回路基板と端部キャップとの間の弾性テンション構造の安定性を高めることを助ける。
【００１０】
有利には、第１の脚部は、間に所定の角度を形成する第１の脚部フロントアームと、第１の脚部リヤアームとを有しており、第１の脚部フロントアームは、中間部分に結合された一方の端部と、第１の脚部リヤアームに結合された他方の端部とを有する。回路基板自体は所定の幅を有するので、２つの第１の脚部が回路基板を確実に固定することができるように、第１の脚部は回路基板を締め付けようとしなければならず、回路基板の幅にしたがって提供された第１の脚部フロントアームは、回路基板の２つの側まで延びることができなければならず、第１の脚部リヤアームが回路基板を締め付けることを可能にする。
【００１１】
さらに有利には、ロッキング構造が第１の脚部リヤアームの端部に形成されており、第１の貫通孔が回路基板に形成されており、ロッキング構造は第１の貫通孔と係合させられる。このロッキング構造は、保持構造と回路基板との確実な結合を保証することができる。
【００１２】
本発明の好適な設計解決手段によれば、第２の脚部は、間に所定の角度を形成する第２の脚部フロントアームと、第２の脚部リヤアームとを有しており、第２の脚部フロントアームは、中間部分に結合された一方の端部と、第２の脚部リヤアームに結合された他方の端部とを有する。本発明の設計解決手段では、２つの第２の脚部は、共同で、弾性テンション構造を収容する１つの円弧状構造を構成しており、この円弧状構造は、弾性テンション構造に加えられる引張力を十分に分散させることができ、これにより、弾性テンション構造の寿命を延長させる。加えて、第２の脚部フロントアームと、第２の脚部リヤアームとは、それらの間に所定の角度を形成しており、これは、弾性テンション構造のための案内機能を有しており、これにより、弾性テンション構造は、端部キャップに形成された貫通孔と容易に整列させることができ、これは、組立の困難さを大幅に減じる。
【００１３】
弾性テンション構造は、いかなる付加的な機械的構造をも介してまたは接着剤によって第２の脚部に固定されない。その代わりに、弾性テンション構造と第２の脚部との結合は、単に緩い結合である。すなわち、第２の脚部は、弾性テンション構造が第２の脚部から逃れることを防止するＵ字形断面輪郭を有している。
【００１４】
本発明の好適な設計解決手段によれば、保持構造は、金属プレートを曲げることによって形成されており、金属プレートには、予め決められた曲げ位置が形成されている。このような曲げ可能な金属プレートは、保持構造の製造の困難さを低減する。なぜならば、保持構造は、金属プレートを予め決められた曲げ位置において曲げることだけによって形成することができるからである。
【００１５】
有利には、ロッキング構造は、２つの自由端部を備えるリテーナリングとして構成されており、これらの２つの自由端部は、リテーナリングを開放させるように互いに離れるように移動させることができるか、またはリテーナリングを閉鎖するように重ね合わせることができる。保持構造は金属プレートによって形成されているので、リテーナリングは、第１の脚部リヤアームの端部を曲げることだけによって形成することができる。保持構造を回路基板に結合するとき、第１の脚部フロントアームの端部は、包囲されたリテーナリングを形成するように曲げられ、リテーナリングは、回路基板における第１の貫通孔と正確に係合させられ、これにより、確実な機械的結合が形成される。
【００１６】
本発明の別の好適な設計解決手段によれば、保持構造は、プラスチックから形成されている。プラスチックから形成された保持構造は、１つの方法ステップにおいて製造することができ、これは、製造の困難さを大幅に減じる。
【００１７】
好適には、ロッキング構造はフックとして構成されている。このようなフックは、第１の貫通孔に挿入されかつ第１の貫通孔に固定されるように適応させられたあらゆるフックであってよい。
【００１８】
本発明によれば、弾性テンション構造は、弾性ロッドと、弾性ロッドに形成され、所定の間隔で互いに離間させられた２つの停止部分とを有しており、２つの停止部分の間の弾性ロッドのセクションは、少なくとも部分的に第２の部分に配置されており、２つの停止部分は、同じ端部キャップの他方の側にロックされる。本発明による設計解決手段において、ランプ管の各側には、１つの保持構造と、少なくとも１つの弾性テンション構造とが設けられている。ランプ管が比較的短い場合、例えば、ランプ管の各端部に１つの弾性テンション構造を提供すれば十分であり、これにより、保持構造は、一対の第２の脚部のみを有する必要がある。ランプ管が比較的長い場合、回路基板のための保持力を増大する必要があり、したがって、ランプ管の各端部には、２つ以上の弾性テンション構造が具備される必要があり、これにより、保持構造は、二対以上の第２の脚部のみを有する必要がある。しかしながら、弾性テンション構造の数にかかわらず、各弾性テンション構造の弾性ロッドの２つの自由端部は、端部キャップの一方の側から１つの端部キャップを貫通する必要があり、端部キャップを貫通するときに停止部分は変形し、端部キャップの他方の側に到達したときに元の形状を回復し、これにより、弾性テンション構造と端部キャップとの間に確実な結合が形成される。
【００１９】
好適には、停止部分は、円錐形を有するように構成されており、２つの円錐形停止部分の底面は互いに面している。円錐形停止部分は、端部キャップの一方の側から第２の貫通孔をより簡単に貫通することができ、底面は、停止部分が端部キャップの側に戻るのを防止することができる。２つの停止部分は協働して、弾性テンション構造と端部キャップとの間の確実な結合の形成を可能にする。
【００２０】
有利には、少なくとも一対の第２の貫通孔が、弾性テンション構造が貫通するために端部キャップに形成されている。第２の貫通孔の数は、端部キャップの各側における弾性テンション構造の数に依存する。１つの弾性テンション構造が設けられている場合、一対の第２の貫通孔で十分である。
【００２１】
好適には、弾性ロッドおよび停止部分は、ゴムまたはシリコーンから形成されており、一片で形成されている。もちろん、弾性テンション構造は、弾性を有するあらゆるその他の可撓性材料から形成することができる。
【００２２】
本発明によれば、光源は、ＬＥＤ光源として構成されている。ＬＥＤ光源は、高い発光効率、長寿命、および環境保護の利点を有する。
【００２３】
本発明の別の課題は、上記タイプのＬＥＤレトロフィットランプを製造する方法であって、ａ）２つの保持構造を提供するステップと、ｂ）回路基板の２つの反対側の端部に２つの保持構造をそれぞれ固定するステップと、ｃ）少なくとも一対の弾性テンション構造を提供し、弾性テンション構造を保持構造に結合するステップと、ｄ）弾性テンション構造が端部キャップの一方の側から端部キャップを貫通し、同じ端部キャップの他方の側においてロックされることを可能にするステップと、を含む方法によって達成される。本発明による方法において、複雑な機械的構造または接着剤なしで、ＬＥＤライトエンジンをランプ管内に懸吊することができる。
【００２４】
本発明の方法の好適な設計解決手段によれば、ステップａ）において、金属プレートを、打抜き法または鋳込み法によって形成し、金属プレートに予め決定された曲げ位置を形成し、予め決定された曲げ位置において金属プレートを曲げることにより保持構造を形成し、保持構造は、中間部分と、中間部分から延びた一対の第１の脚部とおよび少なくとも一対の第２の脚部とを有しており、第１の脚部および第２の脚部は互いに垂直になるように配置されている。第１の脚部が回路基板に結合される必要があり、第２の脚部が弾性テンション構造に結合される必要があるので、第１の脚部の接続線と、第２の脚部の接続線とを交差するように配置することは、回路基板と端部キャップとの間の弾性テンション構造の安定性を高めることを助ける。
【００２５】
さらに好適には、ステップａ）において、第１の脚部を、第１の脚部の第１の脚部フロントアームと第１の脚部リヤアームとがこれらの間に所定の角度を形成するように曲げることによって形成し、リテーナリングを第１の脚部リヤアームの端部に形成する。このように形成された第１の脚部は、回路基板を確実に締め付けることができ、リテーナリングを介して回路基板に固定することができる。実用的な組立方法において、保持構造を回路基板に結合する前に、第１の脚部フロントアームは開放した端部であり、保持構造を回路基板に固定結合するために、この端部を曲げ、回路基板の第１の貫通孔に挿入し、これにより、包囲されたリテーナリングを形成する。
【００２６】
本発明によれば、ステップａ）において、第２の脚部を、第２の脚部がＵ字形断面輪郭を有するように曲げることによって形成し、第２の脚部の第２の脚部フロントアームと、第２の脚部リヤアームとは、これらの間に所定の角度を形成している。２つの第２の脚部は、共同で、弾性テンション構造を収容する１つの円弧状構造を構成しており、この円弧状構造は、弾性テンション構造に加えられる引張力を十分に分散させることができ、これにより、弾性テンション構造の寿命を延長させる。加えて、第２の脚部フロントアームと、第２の脚部リヤアームとは、それらの間に所定の角度を形成しており、これは、弾性テンション構造のための案内機能を有しており、これにより、弾性テンション構造を、端部キャップに形成された貫通孔と容易に整列させることができ、これは、組立の困難さを大幅に減じる。加えて、弾性テンション構造は、あらゆる付加的な機械的構造を介してまたは接着剤によって第２の脚部に固定されない。その代わりに、弾性テンション構造と第２の脚部との結合は、単に緩い結合である。すなわち、第２の脚部が、弾性テンション構造が第２の脚部から逃れることを防止するＵ字形断面輪郭を有していることは極めて有利である。
【００２７】
本発明の別の好適な設計解決手段によれば、ステップａ）において、保持構造を、射出成形法によってプラスチックから形成する。加えて、ステップａ）において、第１の脚部を、第１の脚部の第１の脚部リヤアームの端部にフックが形成されるように形成する。保持構造を、１つの方法ステップにおいて製造することができ、これは、保持構造の製造の困難さを大幅に減じる。
【００２８】
本発明によれば、ステップｃ）において、弾性テンション構造を、射出成形法によってゴムまたはシリコーンから一体に形成し、弾性テンション構造を、弾性テンション構造が、弾性ロッドと、この弾性ロッドに形成されかつ所定の間隔で互いに離間させられた２つの停止部分とを有するように形成する。実用的な組立プロセスでは、弾性ロッドの２つの自由端部は、端部キャップの２つの第２の貫通孔をそれぞれ貫通し、これにより、停止部分は、第２の貫通孔を貫通し、端部キャップの他方の側にロックされる。
【００２９】
好適には、本発明による方法は、さらに、端部キャップの他方の側における弾性ロッドの部分を切断するステップｅ）を含む。組立を容易にするために、弾性ロッドは、通常、組立時に弾性ロッドを引っ張るための比較的長い自由端部を有しており、これにより、自由端部に形成された停止部分は第２の貫通孔を貫通する。しかしながら、組立が完了すると、自由端部は使用されず、美観を損ねるので、自由端部を切断することにより、ＬＥＤレトロフィットランプが優れた外観を有することができる。
【００３０】
本明細書において説明される様々な典型的な実施の形態の特徴は、特にそれ以外の指示がない限り、互いに組み合わされてもよいことが理解される。
【００３１】
図面の簡単な説明
添付の図面は、この説明の一部を構成しており、本発明のさらなる理解を提供するために利用される。このような添付の図面は、本発明の複数の実施の形態を示しており、詳細な説明とともに本発明の原理を説明するために利用される。添付の図面では、同じ構成部材は同じ参照符号によって示されている。
【図面の簡単な説明】
【００３２】
【図１】本発明によるＬＥＤレトロフィットランプの１つの端部領域の断面図である。
【図２】本発明によるＬＥＤレトロフィットランプの保持構造の概略図である。
【図３】本発明によるＬＥＤレトロフィットランプの弾性テンション構造の概略図である。
【図４ａ】保持構造を回路基板に固定する方法を示す図である。
【図４ｂ】保持構造を回路基板に固定する方法を示す図である。
【図４ｃ】保持構造を回路基板に固定する方法を示す図である。
【図５ａ】ＬＥＤレトロフィットランプを製造する方法を示す図である。
【図５ｂ】ＬＥＤレトロフィットランプを製造する方法を示す図である。
【図５ｃ】ＬＥＤレトロフィットランプを製造する方法を示す図である。
【図５ｄ】ＬＥＤレトロフィットランプを製造する方法を示す図である。
【図５ｅ】ＬＥＤレトロフィットランプを製造する方法を示す図である。
【００３３】
実施の形態の詳細な説明
図１は、本発明によるＬＥＤレトロフィットランプ１００の１つの端部領域の断面図である。図１の上側領域は、完全なＬＥＤレトロフィットランプを示しており、図１から分かるように、ＬＥＤレトロフィットランプ１００が、ランプ管１と、ランプ管１内に配置されたＬＥＤライトエンジン２と、ランプ管１の２つの開放した端部に配置された端部キャップ３とを備え、ＬＥＤライトエンジンは、回路基板２１と、回路基板２１に配置された少なくとも１つの光源とを有し、本発明の設計解決手段において、光源はＬＥＤ光源２２である。図１の下側領域は、ランプ管１の一方の端部の詳細図である。ランプ管１の他方の端部も同じ構造を有するので、ここではランプ管１の一方の端部のみを説明する。図から分かるように、ＬＥＤレトロフィットランプ１００は、さらに、ランプ管１の２つの端部にそれぞれ配置された一対の保持構造４であって、保持構造４は、回路基板２１の２つの反対側の端部にそれぞれ固定されており、ランプ管１の各端部には１つの保持構造４が設けられている、保持構造４と、保持構造４に結合された少なくとも一対の弾性テンション構造５と、を備える。この実施の形態では、少なくとも一対の第２の貫通孔３１が、弾性テンション構造５が貫通するために端部キャップ３に形成されている。
【００３４】
本発明による設計解決手段において、ランプ管１の各端部には、１つの弾性テンション構造５が設けられている。しかしながら、ランプ管１の長さに応じて、弾性テンション構造５の数は複数であってもよい。例えば、２フィートのランプ管の場合、ランプ管１の各端部には１つの弾性テンション構造５が設けられているのに対し、４フィートまたは５フィートのランプ管１の場合、ランプ管１の各端部には２つ以上の弾性テンション構造５が設けられている。加えて、図からさらに分かるように、弾性テンション構造５は、端部キャップ３の一方の側から端部キャップ３を貫通し、端部キャップ３の他方の側においてロックされている。
【００３５】
図２は、本発明によるＬＥＤレトロフィットランプ１００の保持構造４の概略図である。図から分かるように、保持構造４は、中間部分４１と、中間部分４１から延びる第１の部分および第２の部分とを有し、第１の部分は回路基板２１と結合され、第２の部分は弾性テンション構造５と結合される。この実施の形態では、第１の部分および第２の部分は、中間部分４１からそれぞれ延びた一対の第１の脚部４２と、少なくとも一対の第２の脚部４３として構成されており、第１の脚部４２の接続線と、第２の脚部４３の接続線とは互いに交差し、弾性テンション構造５のうちの１つが一対の第２の脚部４３に結合される。ランプ管１の各端部に複数の弾性テンション構造５が設けられているならば、第２の脚部４３の数を対応して増加させることができる。加えて、図から分かるように、第１の脚部４２は、間に所定の角度を形成した第１の脚部フロントアーム４２１と第１の脚部リヤアーム４２２とを有しており、第１の脚部フロントアーム４２１は、中間部分４１に結合された一方の端部と、第１の脚部リヤアーム４２２に結合された他方の端部とを有しており、第２の脚部４３は、間に所定の角度を形成した第２の脚部フロントアーム４３１と第２の脚部リヤアーム４３２とを有しており、第２の脚部フロントアーム４３１は、中間部分４１に結合された一方の端部と、第２の脚部リヤアーム４３２に結合された他方の端部とを有している。このように、保持構造４は、空間的に、互いに反対向きに面しかつ互いに交差する２つのＣ字形部分によって形成された構造を有する。
【００３６】
加えて、図からさらに分かるように、ロッキング構造が第１の脚部リヤアーム４２２の端部に形成されており、２つの第１の貫通孔２１１（しかしながら１つの第１の貫通孔２１１のみが図１に示されている）が回路基板２１に形成されており、ロッキング構造は第１の貫通孔２１１と係合させられる。この実施の形態では、保持構造４は、予め決められた曲げ位置４４が形成された金属プレートを曲げることによって形成され（図２における左側の図を参照）、上述の形状を有する保持構造４は、単に、予め決められた曲げ位置４４において金属プレートを曲げることによって得ることができる。この実施の形態では、ロッキング構造は、２つの自由端部を備えるリテーナリング４５として構成されており、これらの２つの自由端部は、リテーナリング４５を開放させるように互いに離れるように移動させるか、またはリテーナリング４５を閉鎖するように重ね合わせることができる。保持構造４は金属プレートによって形成されているので、リテーナリング４５は、第１の脚部リヤアーム４２２の端部を曲げることだけによって形成することができる。保持構造４を回路基板２１に結合するとき、第１の脚部リヤアーム４２２の端部は、包囲されたリテーナリング４５を形成するように曲げられ、リテーナリング４５は、回路基板２１における第１の貫通孔２１１と正確に係合させられ、これにより、確実な機械的結合が形成される。
【００３７】
図示されていない本発明の第２の実施の形態では、保持構造４はプラスチックから形成されている。プラスチックは曲げることができないので、ロッキング構造として機能するフックは、第１の脚部リヤアーム４２２の端部に直接に形成することができる。フックは、第１の貫通孔２１１と直接に係合させることができる。
【００３８】
加えて、図２からさらに分かるように、第２の脚部４３は、弾性テンション構造５が第２の脚部４３から逃れることを防止するＵ字形断面輪郭を有している。この実施の形態では、予め決められた曲げ位置４４において金属プレートを曲げることによって第２の脚部４３に延長部が形成されており、これにより、Ｕ字形スロットが形成されており、弾性テンション構造５は、Ｕ字形スロットに部分的に配置される。
【００３９】
図３は、本発明によるＬＥＤレトロフィットランプの弾性テンション構造の概略図である。図から分かるように、弾性テンション構造５は、弾性ロッド５１と、弾性ロッド５１に形成され、所定の間隔で互いに離間させられた２つの停止部分５２とを有しており、２つの停止部分５２の間の弾性ロッド５１のセクションは、少なくとも部分的に、第２の脚部４３によって形成されたＣ字形の第２の部分に配置される。図からさらに分かるように、停止部分５２は、円錐形を有するように構成されており、２つの円錐形停止部分５２の底面５２１は互いに面している。円錐形停止部分５２は、端部キャップ３の一方の側から第２の貫通孔３１をより簡単に貫通することができ、底面５２１は、停止部分５２が端部キャップ３の側に戻るのを防止することができる。２つの停止部分５２は協働して、弾性テンション構造５と端部キャップ３との間の確実な結合の形成を可能にする。
【００４０】
この実施の形態では、弾性ロッド５１および停止部分５２は、ゴムまたはシリコーンから形成されており、一片で形成されている。もちろん、弾性ロッド５１および停止部分５２は、弾性を有するあらゆるその他の可撓性材料から形成することができる。
【００４１】
図４ａ〜ｃは、保持構造４を回路基板２１に固定する方法を示す図である。図４ａから分かるように、第１の脚部リヤアーム４２２の端部は閉鎖されていない。図４ｂにおいて、保持構造４は既に回路基板２１を締め付けており、第１の脚部リヤアーム４２２の端部は、既に回路基板２１の第１の貫通孔２１１と整列させられている。図４ｃから分かるように、第１の脚部リヤアーム４２２の端部は既に曲げられ、第１の貫通孔２１１に挿入されており、これにより、保持構造４と回路基板２１との確実な係合を形成している。
【００４２】
図５ａ〜ｅは、ＬＥＤレトロフィットランプ１００を製造する方法を示す図である。本発明の方法では、ステップａ）において２つの保持構造４が提供される。本発明の方法の第１の実施の形態によれば、打抜き法または鋳込み法によって金属プレートを形成し、金属プレートに予め決定された曲げ位置４４を形成し、予め決定された曲げ位置４４において金属プレートを曲げることにより保持構造４を形成し、保持構造４は、中間部分４１と、中間部分４１から延びた一対の第２の脚部４２および少なくとも一対の第２の脚部４３とを有しており、第１の脚部４２および第２の脚部４３は互いに垂直になるように配置されている。さらに、ステップａ）において、第１の脚部４２を、第１の脚部４２の第１の脚部フロントアーム４２１と第１の脚部リヤアーム４２２とがこれらの間に所定の角度を形成するように曲げることによって形成し、リテーナリング４５を第１の脚部リヤアーム４２２の端部に形成する。加えて、ステップａ）において、第２の脚部４３を、第２の脚部４３がＵ字形断面輪郭を有するように曲げることによって形成し、第２の脚部４３の第２の脚部フロントアーム４３１と、第２の脚部リヤアーム４３２とは、これらの間に所定の角度を形成する。
【００４３】
本発明による方法の別の実施の形態では、ステップａ）において、保持構造４を射出成形法によってプラスチックから形成し、ステップａ）において、第１の脚部４２を、第１の脚部４２の第１の脚部リヤアーム４２２の端部にフックが形成されるように形成する。
【００４４】
図５ａに示されたステップｂ）において、２つの保持構造４をそれぞれ回路基板２１の２つの反対側の端部に固定する。その間、ステップｃ）において、弾性テンション構造５を提供する。この実施の形態において、弾性テンション構造５は、射出成形法によってゴムまたはシリコーンから一体に形成され、弾性テンション構造５は、弾性テンション構造５が、弾性ロッド５１と、この弾性ロッド５１に形成されかつ所定の間隔で互いに離間させられた２つの停止部分５２とを有するように形成される。
【００４５】
図５ｂから分かるように、弾性テンション構造５は既に保持構造４に結合されている。この実施の形態では、２つの停止部分５２の間の弾性ロッド５１のセクションは、少なくとも部分的に、２つの第２の脚部４３によって形成された第２の部分に配置されている。
【００４６】
図５ｃから分かるように、端部キャップ３に２つの第２の貫通孔が形成されている。端部キャップ３は、ランプ管１の開放した端部をカバーし、この時、弾性テンション構造５の弾性ロッド５１の２つの自由端部は、端部キャップ３の一方の側から第２の貫通孔３１を貫通させられ、その間、２つの自由端部は引っ張られ、停止部分５２も第２の貫通孔３１を貫通し、端部キャップ３の他方の側にロックされる。図５ｄから分かるように、停止部分５２は既に端部キャップ３の他方の側に位置している。
【００４７】
図５ｅから分かるように、端部キャップ３の他方の側における弾性ロッド５１の部分は既にステップｅ）において切断されている。
【００４８】
上の説明は、本発明の好適な実施の形態でしかなく、本発明を限定するものではない。当業者にとって、本発明は様々な改変および変更を有し得る。本発明の思想および原理の範囲におけるあらゆる改変、均等の代用、改良は、本発明の保護範囲に含まれるべきである。
【符号の説明】
【００４９】
２  ＬＥＤライトエンジン
２１  回路基板
２１１  第１の貫通孔
２２  ＬＥＤ光源
３  端部キャップ
３１  第２の貫通孔
４  保持構造
４１  中間部分
４２  第１の脚部
４２１  第１の脚部フロントアーム
４２２  第１の脚部リヤアーム
４３  第２の脚部
４３１  第２の脚部フロントアーム
４３２  第２の脚部リヤアーム
４４  予め決められた曲げ位置
４５  リテーナリング
５  弾性テンション構造
５１  弾性ロッド
５２  停止部分
１００  ＬＥＤレトロフィットランプ
【図１】
0005916951.tif 000002
【図２】
0005916951.tif 000003
【図３】
0005916951.tif 000004
【図４ａ】
0005916951.tif 000005
【図４ｂ】
0005916951.tif 000006
【図４ｃ】
0005916951.tif 000007
【図５ａ】
0005916951.tif 000008
【図５ｂ】
0005916951.tif 000009
【図５ｃ】
0005916951.tif 000010
【図５ｄ】
0005916951.tif 000011
【図５ｅ】
0005916951.tif 000012